(57)【要約】【課題】  ソケット本体側のロック部材の取付け方向を水平横方向に滑動可能に、または内方から外方に枢動可能とすることによって、外形寸法を縮小し、上側の第２の押え板をレバー形状の押えレバーとして、第１の押え板であるカバー部材の両側に位置させて、高さを低くする。【解決手段】  ＩＣパッケージが装着されるソケット本体と、該ソケット本体に配置された複数個のコンタクトと、前記ソケット本体の一側に回動可能に支持されたカバー部材とを有するＩＣソケットにおいて、前記カバー部材の自由端部側に枢支されて側面に沿って延びる押えレバーと、前記カバー部材に設けられたロック機構とを有し、前記押えレバーの自由端部側に、前記ソケット本体に係合される係止部が設けられている。【選択図】  図１
2005116194.tif 000002
【特許請求の範囲】
【請求項１】
ＩＣパッケージが装着されるソケット本体と、該ソケット本体に配設された複数個のコンタクトと、前記ソケット本体の一側に回動可能に支持されたカバー部材とを有するＩＣソケットにおいて、
前記カバー部材の自由端部側に枢支されて側面に沿って延びる押えレバーと、前記カバー部材に設けられたロック機構とを有し、前記押えレバーの自由端部に、前記ソケット本体に係合される係止部が設けられたことを特徴とするＩＣソケット。
【請求項２】
前記ロック機構は、横方向に滑動可能に弾性附勢された可動ストッパーと、該可動ストッパーを押圧するばね部材とを有し、前記押えレバーが前記可動ストッパーとロック係合できるように形成されたことを特徴とする請求項１記載のＩＣソケット。
【請求項３】
前記可動ストッパーは、先端がテーパー面に形成され、前記押えレバーとの係合によって前記ばね部材の弾性力に抗して押圧されてカム作動されることを特徴とする請求項２記載のＩＣソケット。
【請求項４】
前記ロック機構は、前記ソケット本体とカバー部材の枢支部に、同軸に、かつ外方に向って回動可能に支持されたストッパー部材を有し、該ストッパー部材の先端部が前記押えレバーの端部にロック係合できるように形成されたことを特徴とする請求項１記載のＩＣソケット。
【請求項５】
前記係止部は、前記押えレバーの枢支側の端部に形成された係合部を有し、該係合部が前記ソケット本体のロックピンに係合されるように設けられていることを特徴とする請求項１記載のＩＣソケット。
【発明の詳細な説明】
【技術分野】
【０００１】
本発明は、ＩＣパッケージのような半導体部材が用いられるＩＣソケットに関するもので、特に、載置されたＩＣパッケージを押圧する押圧板を有したカバー部材を、押圧して保持する押えレバーをロックするロック機構を有するＩＣソケットに関するものである。
【背景技術】
【０００２】
従来、電気部品としてのＩＣパッケージ等は、ＩＣソケットのソケット本体に装着し、押圧機構によって押圧して保持するようにしたカバータイプのＩＣソケットが知られている。
【０００３】
従来におけるＩＣソケットの例が、図１１乃至図１３および図１４に示されており、図１１は、この従来のＩＣソケットの１つの例におけるカバー部材を閉じた時の状態が一部断面した側面図で示されており、図１２は、その展開した平面図で、図１３は、第１、第２の押え板の作動状態を示す一部断面した側面図である。また、図１４は、従来のＩＣソケットの別の例におけるカバー部材を閉じた時の状態が示される一部断面した側面図である。
【０００４】
まず、図１１乃至図１３に示されるように、従来のＩＣソケット１００は、ソケット本体１０１と、ソケット本体１０１の一側に回動可能に枢支され、かつ中央に第１の押え板１０３が設けられたカバー部材１０２と、ソケット本体１０１の中央に設けられた複数個のコンタクト１０４と、ソケット本体１０１上に装着されたＩＣパッケージをカバー部材１０２の中央の第１の押え板１０３を介してさらに上から押圧する第２の押え板１０５と、カバー部材１０２をソケット本体１０１に係脱自在に係止するように第２の押え板１０５の一側に設けられたロック機構１０６と、第２の押え板１０５の枢支側に設けられた補助のロック部材１０７とを有している。
【０００５】
このような従来のＩＣソケット１００において、ソケット本体１０１の中央部分には、ＩＣパッケージが装着される装着部１０８が設けられている。さらに、この装着部１０８には、ＩＣパッケージのＩＣリード等の外部端子と接触されて電気的に接続される複数個のコンタクト１０４が設けられている。これらコンタクト１０４は、ＩＣパッケージの外部端子と接触できるように弾性変位可能に形成されている。図示の従来のＩＣソケット１００において、適用されるＩＣパッケージは、ボール・グリッド・アレイ・タイプのＩＣパッケージで、コンタクトは、弾性変位可能なピンタイプのコンタクトである。
【０００６】
従って、この従来のＩＣソケット１００においては、ＩＣパッケージがソケット本体１０１の装着部１０８に装着された後に、カバー部材１０２に、例えばピン１１４によって枢着された第１の押え板１０３がＩＣパッケージの上に重なるように、カバー部材１０２が回動されて押え板１０３がＩＣパッケージに対して押圧される。次いで、カバー部材１０２にピン１１５によって枢着された第２の押え板１０５が、カバー部材１０２の第１の押え板１０３を押圧するようにその上に重ねられる。そして、第２の押え板１０５のロック部材１０７のフック状部分が、ソケット本体１０１のロックピン１１２に係合されて、この第２の押え板１０５がさらに下方に押圧されることによって、カバー部材１０２の第１の押え板１０３を介してＩＣパッケージをしっかりと押圧するようになる。この時に、ロック機構１０６のロックアーム１１０の爪が、ソケット本体１０１の枢支ピンを兼ねるロックピン１０９に係合されてロックが行なわれる。
【０００７】
さらにまた、図１４に示されるような従来の別のＩＣソケット２００においては、ソケット本体２０１と、第１の押え板であるカバー部材２０２と、第２の押え板２０５との構成が、上述した構成と実質的に同じである。さらに、このＩＣソケット２００は、ロック機構２０６が、図示されるように、ソケット本体２０１に下部において枢支されたロック部材２１０を有しており、このロック部材２１０の上部にロック爪が設けられていて、ロック部材２１０が枢支ピン２０９回りに外方に向って矢印で示されるように回動されることによって、ロックが解除されるように形成されている。
【０００８】
【特許文献１】特許第２８２２８５０号公報（第２〜４頁、第１〜４図）
【発明の開示】
【発明が解決しようとする課題】
【０００９】
しかしながら、このような従来における電気部品としてのＩＣパッケージ等が装着されるＩＣソケット１００、２００においては、ＩＣパッケージの実装時に第１の押え板１０３、２０２と、第２の押え板１０５、２０５とが重なり合う形になり、これら第１の押え板１０３、２０２と第２の押え板１０５、２０５との間に隙間ができ、これによって、第１の押え板１０３、２０２と第２の押え板１０５、２０５とが撓む可能性がある。また、ロック機構１０６、２０６は、ロック部材としてのロックアーム１１０、２１０の爪が外方に向って回動されてロックが解除されるために、ロック機構１０６、２０６のロック部分における外形寸法が大きくなり、かつ高さも高くなり、従って、全体的な寸法が大きくなる等の要因となっている。
【００１０】
特に、第１の押え板１０３、２０２と第２の押え板１０５、２０５とが重なり合う形状であるために、高さを低くすることは、個々の押え板１０３、１０５、２０２、２０５の強度を低下してしまう可能性があるので、押え板自身の高さ方向の厚さを減少して低くすることが困難であり、寸法の縮小化が難しい。
【００１１】
従って、本発明の目的は、このような従来における問題点を解決するために、ロック機構のロック部材を水平横方向に滑動可能な可動部材とし、あるいはまた、ソケット本体側のロック部材の取り付け方向を内側にし、かつ回動方向を内側とすることによって、外方へのはみ出しを無くし、外形寸法を縮小すると共に、上側に設けられる第２の押え板をレバー形状の押えレバーとして、下側の第１の押え板としてのカバー部材の両側に位置するようにして、高さを低くして、全体の外形寸法を小さくすることができるＩＣソケットを提供することにある。
【課題を解決するための手段】
【００１２】
上述の目的を達成するために、本発明のＩＣソケットは、ＩＣパッケージが装着されるソケット本体と、該ソケット本体に設置された複数個のコンタクトと、前記ソケット本体の一側に回動可能に支持されたカバー部材とを有するＩＣソケットにおいて、前記カバー部材の自由端部側に枢支されて側面に沿って延びる押えレバーと、前記カバー部材に設けられたロック機構とを有し、前記押えレバーの自由端部に、前記ソケット本体に係合される係止部が設けられたことを特徴とする。
【発明の効果】
【００１３】
本発明のＩＣソケットによれば、ロック機構のロック部材を水平横方向に滑動可能な可動部材とし、あるいはまた、ロック機構におけるソケット本体側のロック部材の取り付け方向を内側にし、かつ回動方向を内側から外方へとすることによって、外形寸法を縮小すると共に、上側に設けられる押え板を、レバー形状の押えレバーとして高さを低くすることによって、外方へのはみ出しを無くして、ソケットの外形寸法を小さくして高さを低くすることができる。さらに、押えレバーのロック部としての係止部がロックピンと係合することに加えて、ロック機構によるロック係合とのダブルロックが得られ、下側の押え板としてのカバー部材、およびＩＣパッケージの確固たるしっかりした固定、保持が達成され、しかも操作力を低減することができる。
【発明を実施するための最良の形態】
【００１４】
本発明のＩＣソケットは、ロック機構のロック部材を水平横方向に滑動可能な可動部材とすると共に、上側に設けられる押え板を、レバー形状の押えレバーとして高さを低くする。
【００１５】
本発明のその他の目的や特徴および利点は、添付図面に示される本発明の実施形態についての詳細な説明から明らかである。
【実施例１】
【００１６】
図１乃至図６は、本発明の実施例１におけるＩＣソケットを示す図で、図１は、本発明の実施例１のＩＣソケットの側面図、図２は、その端面図で、図３は、展開した平面図、図４乃至図６は、ロック機構の可動ストッパーのロック状態までの作動順序を示す図３のＡ−Ａ線に沿った断面部分図である。
【００１７】
図１乃至図６に示されるように、本発明の実施例１のＩＣソケット１は、ほぼ中央にＩＣパッケージ用の装着部７が設けられたほぼ四角形または長方形のソケット本体２と、このソケット本体２の一側において枢支されたカバー部材３と、ソケット本体２のほぼ中央のＩＣパッケージ用の装着部７に植設された複数個のコンタクト４と、カバー部材３の自由端部側に枢支された押えレバー５と、カバー部材３の側面に設けられたロック機構６とを有している。
【００１８】
図示されるように、本発明の実施例１におけるＩＣソケット１は、ロック機構６がばね部材２３によって附勢される可動ストッパー２２を有し、この可動ストッパー２２が押えレバー５とロック係合できるように構成されている。
【００１９】
本発明のこのようなＩＣソケット１において、ソケット本体２は、基板上に取り付けられて固定されるように形成されており、中央部分にＩＣパッケージのための装着部７が設けられていて、複数個のコンタクト４が弾性変位可能に植設されている。このソケット本体２の一側には、カバー部材３がヒンジ部としての枢支部８においてピン９によって枢動可能に支持されている。
【００２０】
さらに、カバー部材３の自由端部、すなわち枢支されている端部と反対側の端部には、押えレバー５が枢支されている。この押えレバー５は、カバー部材３の両側に沿って延びる一対のレバー部材１６と、これらレバー部材１６を自由端部側において連結している接続部材１７とから、ほぼコの字形に一体的に形成されている。また、押えレバー５は、枢支側にフック形のロック部としての係止部１８が設けられている。そして、この押えレバー５の係止部１８が、ソケット本体２の、カバー部材３の枢支側と反対側において両側に突出するように設けられたロックピン２０にロック係合できるように形成されている。
【００２１】
ロック機構６は、ソケット本体２の枢支部８側において、カバー部材３の側面に対して上面部分に、側方に向って突出するようにばね部材２３によって弾性附勢された滑動可能な可動ストッパー２２を有している。この可動ストッパー２２は、先端面が下方に向って外方に傾斜するようにテーパーが付けられたテーパー面２４が形成されている。さらに、可動ストッパー２２は、カバー部材３に対して一定の距離だけ突出できるように、ばね部材２３によって外方に向かって滑動可能に押圧されており、図４乃至図６に示される如くロック作動されるように形成されている。
【００２２】
すなわち、常時は、図４に示されるように可動ストッパー２２が外方に突出したフリーな状態にあり、ソケット本体２に装着されたＩＣパッケージを押圧すべくカバー部材３と押えレバー５が作動される時に、押えレバー５が下方に押されてカバー部材３の側面に沿って挿入される。そして、押えレバー５のレバー部材１６の下面が可動ストッパー２２の先端の傾斜したテーパー面２４に当たって押す。これによって、可動ストッパー２２は、その先端のテーパー面２４の傾斜に沿って押えレバー５のレバー部材１６によって可動ストッパー２２が内方に向って、ばね部材２３の弾性力に抗して押して可動ストッパー２２を滑動する（図５）。そして、押えレバー５のレバー部材１６が可動ストッパー２２のテーパー面２４を押し乍ら通過した時に、可動ストッパー２２は自由となる。これによって、可動ストッパー２２は、ばね部材２３によって押されて、再び外方に突出するように、押えレバー５のレバー部材１６の上面を越えて移動する。こうして、可動ストッパー２２は、押えレバー５のレバー部材１６をロックすることができ、所期の目的とするロック状態（図６）を得ることができる。
【００２３】
なお、可動ストッパー２２の抜け出るのを防止するために、可動ストッパー２２に長孔２５を設け、この長孔２５を通ってシャフト２６を通すことによって、抜け止めを設けることができる。
【００２４】
また、本発明のＩＣソケット１のこのような実施例１における可動ストッパー２２の代わりに、カバー部材３の上面に、例えば回動可能な回転ストッパーを設けて押えレバー５をロックして固定することができる。
【００２５】
このような実施例１におけるロック機構６の構成によって、ロック部材としての可動ストッパー２２を側方に突出可能に設けることによって、ＩＣソケット１の外形を小さくすることができ、ロック部材に相当する大きさ、ＩＣソケット１の全体の寸法を小さくすることができる。しかも、このようなＩＣソケット１の小形化を図ることは、ＩＣソケット１の実装数を増大することを可能にするものであり、生産性を向上するものである。
【００２６】
このように構成された本発明のＩＣソケット１において、実際の作用に就いて次に説明する。
【００２７】
図１乃至図３に示されるように、上述の如く構成された本発明のＩＣソケット１を用いて実際にＩＣパッケージを装着する際には、ロック機構６が解除されてカバー部材３と押えレバー５とが開かれた状態において、ＩＣパッケージがソケット本体２のパッケージ装着用の装着部７に装着される。
【００２８】
次いで、カバー部材３が閉じられるようにピン９周りにカバー部材３が回動されて押え板１２がＩＣパッケージの上に係合される。そして、カバー部材３のさらなる回動によって、押え板１２によってＩＣパッケージが押えられると共に、押えレバー５のロック用の係止部１８が、ソケット本体２のロックピン２０に係合されるようになる。
【００２９】
続いて、押えレバー５が最終位置にまで押されて所定位置に位置されるようになる。そして、この時に、ロック機構６のロック部材としての可動ストッパー２２が内側から外方に向って突出されて、可動ストッパー２２の先端部が押えレバー５のレバー部材１６の上方に突出してレバー部材１６の上面のところに係合されるために、押えレバー５がロックされるようになる。
【００３０】
このように、本実施例においては、ソケット本体２に対して枢動される、押圧板１２を有したカバー部材３に、レバー形状の押えレバー５を両側に嵌まるような構造に設けることで、押圧板１２を有する第１の押え板としてのカバー部材３の強度を何等低下すること無く、ＩＣソケット１の高さを下げることができる。
【００３１】
しかも、ロック機構６のロック部材としての可動ストッパー２２を内側から外方に向って突出するようにソケット本体２に対して滑動可能に設けることによって、外形の縮小化を達成することができて小形化することができ、さらに、押えレバー５のロック部としての係止部１８がロックピン２０と係合することに加えて、ロック機構６によるロック係合とのダブルロックが得られ、カバー部材３、押圧板１２、ＩＣパッケージ等の確固たるしっかりした固定、保持が達成され、しかも、これらカバー部材３と押圧板１２と押えレバー５等の操作力を大いに低減することができる。
【００３２】
上述のように構成される本発明のＩＣソケット１は、ＩＣパッケージが装着されるソケット本体２と、ソケット本体２に枢動可能に支持されたカバー部材３と、ソケット本体２に配置された複数個のコンタクト４とを有し、カバー部材３のほぼ中央に押圧板１２を設け、カバー部材３の枢支側と反対側の自由端部側に枢動可能に支持された押えレバー５を設けると共に、押えレバー５の側面側にロック機構６を設け、さらに、自由端部側の押えレバー５の端部に係止部１８が設けられている。さらに、ロック機構６は、カバー部材３の側面部分に、外方に向って滑動可能に支持された可動ストッパー２２を有しており、この可動ストッパー２２の先端部が、押えレバー５の側縁部にロック係合できるように形成されている。
【００３３】
このように、ロック機構６は、横方向に滑動可能に弾性附勢された可動ストッパー２２と、可動ストッパー２２を押圧するばね部材２３とを有し、押えレバー５が可動ストッパー２２とロック係合できるように形成されていて、係止部１８が、押えレバー５の枢支側の端部に形成されたロック部を有しており、ロック部がソケット本体２のロックピン２０にロック係合されるように設けられている。
【００３４】
従って、本発明においては、ソケット本体２に対して枢動される、押圧板１２を有したカバー部材３に、レバー形状の押えレバー５を両側に嵌まるような構造に設けることで、押圧板１２を有するカバー部材３の強度を何等低下すること無く、ＩＣソケット１の全体の高さを下げることができる。
【００３５】
しかも、ロック機構６のロック部材としての可動ストッパー２２を内側から外方に向って突出するようにソケット本体２に対して滑動可能に設けることによって、ＩＣソケット１の全体の外形の縮小化を達成することができて小形化することができる。さらに、押えレバー５のロック部としての係止部１８がロックピン２０と係合することに加えて、ロック機構６によるロック係合とのダブルロックが得られ、カバー部材３、押圧板１２、ＩＣパッケージ等の確固たるしっかりした固定、保持が達成され、しかも操作力を低減することができる。
【００３６】
上述したように構成された本発明のＩＣソケット１においては、ソケット本体２に対して枢動される、押圧板１２を有したカバー部材３に、レバー形状の押えレバー５を両側に嵌まるような構造に設けることで、押圧板１２を有するカバー部材３の強度を何等低下すること無く、ＩＣソケット１全体の高さを下げることができる。しかも、ロック機構６のロック部材としての可動ストッパー２２をソケット本体２に対して横方向に突出するように滑動可能に設けることによって、外形の縮小化を達成することができて小形化することができる。さらにまた、押えレバー５のロック部としての係止部１８がロックピン２０と係合することに加えて、ロック機構６によるロック係合とのダブルロックが得られ、カバー部材３、押圧板１２、ＩＣパッケージの確固たるしっかりした固定、保持が達成され、しかも操作力を低減することができる。
【００３７】
なお、本発明の上記実施例１において、ロック機構６が、カバー部材３の左右両側に一対設けられるように図示されているが、いずれか一方の片側に１つだけ設けるだけでも良いことは勿論である。
【実施例２】
【００３８】
図７乃至図１０は、本発明のＩＣソケットの実施例２を示す図で、図７は、ＩＣソケットの一部を断面した側面図、図８は、図７のＩＣソケットの作動状態を示す同様な側面図で、図９は、図７のＩＣソケットのカバー部材を開いた状態で示す平面図、図１０は、図７乃至図９の本発明のＩＣソケットのコンタクトの一部を示す拡大部分図である。
【００３９】
図７乃至図１０に示されるように、本発明の実施例２におけるＩＣソケット３０は、ほぼ中央にＩＣパッケージ用の装着部３７が設けられたほぼ四角形または長方形の大略四角形のソケット本体３２と、このソケット本体３２の一側においてピン３９により枢動可能に枢支されたカバー部材３３と、ソケット本体３２のほぼ中央のＩＣパッケージ用の装着部３７に植設された複数個のコンタクト３４と、カバー部材３３の自由端部側に枢支された押えレバー３５と、ソケット本体３２の、カバー部材３３との枢支側に設けられたロック機構３６とを有している。
【００４０】
本発明のこのようなＩＣソケット３０において、ソケット本体３２は、基板上に取り付けられて固定されるように形成されており、中央部分にＩＣパッケージ用の装着部３７が設けられていて、複数個のコンタクト３４が弾性変位可能に植設されている。このソケット本体３２の一側には、カバー部材３３を枢動可能に支持するためのヒンジ部としての枢支部３８が設けられており、カバー部材３３の一側がピン３９によって枢支されている。
【００４１】
また、ソケット本体３２のＩＣパッケージ用の装着部３７の角部には、ＩＣパッケージ４０の四隅の角部に係合してＩＣパッケージ４０を案内して位置決めするように、コーナー部材のような位置決め部材４１が設けられている。
【００４２】
カバー部材３３は、一側においてピン３９によってソケット本体３２の枢支部３８に枢支されており、ほぼ中央にはＩＣパッケージ４０を押圧するための押圧板４２のような押圧部が設けられている。押圧部としての押圧板４２は、ほぼ四角形をなしており、ほぼ中央にてピン４４によってカバー部材３３の中央の開口部４５内に支持されていて、下面がＩＣパッケージ４０の上面に接触してＩＣパッケージ４０を均等に押圧して保持することができるようになっている。
【００４３】
さらに、カバー部材３３の自由端部、すなわち枢支されている端部と反対側の端部には、押えレバー３５がピン４３によって枢支されている。この押えレバー３５は、カバー部材３３の両側に沿って延びる一対のレバー部材４６と、これらレバー部材４６を自由端部側において連結している接続部材４７とから、ほぼコの字形に一体的に形成されている。
また、押えレバー３５は、枢支側にフック形のロック部としての係止部４８が設けられていて、この押えレバー３５の係止部４８が、ソケット本体３２の、カバー部材３３の枢支側と反対側において両側に突出するように設けられたロックピン５０にロック係合できるように形成されている。
【００４４】
ロック機構３６は、ソケット本体３２とカバー部材３３との枢支部３８側において、ほぼ中央部または両側部、あるいは少なくとも一方の側部に回動可能に設けられたロック部材５２を有している。このロック部材５２は、下方端部においてソケット本体３２の枢支部３８にピン３９によってカバー部材３３と同軸に枢支されていて、上方端部にロック用のフック形の爪部５３が設けられている。このロック用の爪部５３は、押えレバー３５の接続部材４７や、または側部に係止されるように外方に向って突出するような形状に形成されている。特に、このロック部材５２は、その回動方向が内側から外方に向って回動してロック係合することを特徴とするものである。従って、ロック用の爪部５３は、図７に示される位置から時計方向に内側から外方に向って回動されて、接続部材４７に対してロック係合するように作動される。
【００４５】
このようなロック部材５２の構成によって、ロック部材５２の外形を小さくすることができ、ロック部材５２の厚さ分に相当する大きさ、ＩＣソケット３０の外形寸法を小さくすることができる。しかも、ロック部材５２の回動方向が内側から外方に向うものであるために、従来ではロックアームが外側に出っ張っていたものが、本発明のこの実施例では、ロック部材５２が内部の方に引っ込み、それによってＩＣソケット自体の外形が縮小されるようになり、しかも、ＩＣパッケージの取り出し時でも、外形が大きくなることが無い。
【００４６】
このようなＩＣソケットの小形化を図ることは、ＩＣソケットの実装数を増大することを可能にするものであり、生産性を向上するものである。
【００４７】
このように構成された本発明の実施例２におけるＩＣソケット３０において、実際の作用に就いて次に説明する。
【００４８】
図７乃至図１０に示されるように、上述の如く構成された本発明のＩＣソケット３０を用いて実際にＩＣパッケージ４０を装着する際には、ロック機構３６が解除されてカバー部材３３と押えレバー３５とが開かれた状態において、ＩＣパッケージ４０がソケット本体３２のＩＣパッケージ用の装着部３７に装着される。
【００４９】
次いで、カバー部材３３が閉じられるようにピン３９周りにカバー部材３３が回動されて押圧板４２が、装着部３７に装着されたＩＣパッケージ４０の上に係合され、カバー部材３３のさらなる回動によって押えレバー３５によってＩＣパッケージ４０が押圧されると共に、押えレバー３５のロック部としての係止部４８が、ソケット本体３２のロックピン５０に、下側から掬い入れるように挿入されることによって係合されるようになる。
【００５０】
続いて、押えレバー３５が図７の最終位置にまで押されて所定位置に位置されるようになる。そして、この時に、ロック機構３６のロック部材５２が内側から外方に向ってピン３９周りに時計方向に回動されて、ロック部材５２の先端の爪部５３が押えレバー３５の接続部材４７のところに係合されるために、押えレバー３５がロックされるようになる。
【００５１】
このように、本実施例においては、ソケット本体３２に対して枢動される、押圧板４２を有したカバー部材３３に、レバー形状の押えレバー３５を両側部に沿って嵌まるような構造に設けることで、押圧板４２を有するカバー部材３３の強度を何等低下すること無く、ＩＣソケット３０全体の高さを下げることができる。しかも、ロック機構３６のロック部材５２を内側から外方に向って回動するように、ソケット本体３２とカバー部材３３の枢着部に対してピン３９周りに枢動可能に設けることによって、ＩＣソケット３０の全体の外形の縮小化を達成することができて小形化することができるし、さらに、押えレバー３５のロック部としての係止部４８がロックピン５０と係合することに加えて、ロック機構３６によるロック係合とのダブルロックが得られ、カバー部材３３、押圧板４２、ＩＣパッケージ４０の確固たる、しっかりした固定、保持が達成され、しかも、これらカバー部材３３と押えレバー３５と押圧板４２等の操作力を大いに低減することができ、小さな操作力で好適に作動することができる。
【００５２】
また、本発明のＩＣソケット３０において、コンタクト３４の構成の一例が図１０に示されている。図示されるように、コンタクト３４は、上コンタクト部材５５と下コンタクト部材５６と、上コンタクト部材５５と下コンタクト部材５６の間に設けられたばね部材５７とから構成されており、上コンタクト部材５５の上端部がＩＣパッケージ４０の半田ボールのような外部端子４０ａと接触され、下コンタクト部材５６の下端部が基板のプリント端子等と接触されるようになっている。なお、このようなコンタクト３４は、実施例１におけるコンタクトしても有効的に利用できることは言うまでもないことである。
【００５３】
上述のように構成される本発明のＩＣソケット３０は、ＩＣパッケージ４０が装着されるソケット本体３２と、ソケット本体３２に枢動可能に支持されたカバー部材３３と、ソケット本体３２に配置された複数個のコンタクト３４とを有し、カバー部材３３のほぼ中央に押え板４２を設け、カバー部材３３の枢支側と反対側の自由端部側に枢支されて側面に沿って延びる押えレバー３５を設けると共に、押えレバー３５の枢支側にロック機構３６を設け、さらに、反対側の押えレバー３５の端部に係止部４８が設けられている。さらに、ロック機構３６は、ソケット本体３２とカバー部材３３の枢支部３８に、同軸に、かつ外方に向って回動可能に支持されたストッパー部材としてのロック部材５２を有しており、このストッパー部材であるロック部材５２の先端の爪部５３が、押えレバー３５の端縁部をなす接続部材４７にロック係合できるように形成されている。
【００５４】
また、ロック機構３６は、ソケット本体３２の枢支部３８側に内方から外方に枢動可能に設けられたストッパー部材としてのロック部材５２の爪部５３が、押えレバー３５の端縁部の接続部材４７とロック係合できるように形成されている。
【００５５】
このように、本発明においては、ソケット本体３２に対して枢動される、押圧板４２を有したカバー部材３３に、レバー形状の押えレバー３５を両側に嵌まるような構造に設けることで、押圧板４２を有するカバー部材３３の強度を何等低下すること無く、ＩＣソケット３０の全体の高さを下げることができる。しかも、ロック機構３６のロック部材としてのストッパー部材５２を内側から外方に向って回動するようにソケット本体３２とカバー部材３３の枢支部３８に対して枢動可能に設けることによって、ＩＣソケット３０全体の外形の縮小化を達成することができて小形化することができる。さらに、押えレバー３５のロック部としての係止部４８がロックピン５０と係合することに加えて、ロック機構３６によるロック係合とのダブルロックが得られ、カバー部材３３、押圧板４２、ＩＣパッケージ４０の確固たるしっかりした固定、保持が達成され、しかも操作力を低減することができる。
【００５６】
なお、このような本発明のＩＣソケット３０において、使用されるＩＣパッケージ４０は、ボール・グリッド・アレイ・タイプのＩＣパッケージであるが、このようなＩＣパッケージに限られるものでは無く、他の同様なタイプのＩＣパッケージ等を用いることができることは勿論である。
【００５７】
上述のように構成される本発明のＩＣソケット３０は、ＩＣパッケージが装着されるソケット本体３２と、ソケット本体３２に枢動可能に支持されたカバー部材３３と、ソケット本体３２に配置された複数個のコンタクト３４とを有し、カバー部材３３の自由端部側に枢支されて側面に沿って延びる押えレバー３５を設けると共に、ソケット本体３２とカバー部材３３の枢支部３８に、同軸に、かつ外方に向って回動可能に支持されたロック部材としてのストッパー部材５２を有するロック機構３６を設け、さらに、自由端部側の押えレバー３５の端部に係止部４８が設けられている。さらに、ロック機構３６は、ストッパー部材５２が、押えレバー３５の側縁部にロック係合できるように形成されている。
【００５８】
従って、本発明においては、ソケット本体３２に対して枢動される、押圧板４２を有したカバー部材３３に、レバー形状の押えレバー３５を両側に嵌まるような構造に設けることで、押圧板４２を有するカバー部材３３の強度を何等低下すること無く、ＩＣソケット３０の全体の高さを下げることができる。しかも、ロック機構３６のロック部材としてのストッパー部材５２を内側から外方に向って回動するようにソケット本体３２に対して枢動可能に設けることによって、ＩＣソケット３０全体の外形の縮小化を達成することができて小形化することができ、さらに、押えレバー３５のロック部としての係止部４８がロックピン５０と係合することに加えて、ロック機構３６によるロック係合とのダブルロックが得られ、カバー部材３３、押圧板４２、ＩＣパッケージ等の確固たるしっかりした固定、保持が達成され、しかも操作力を低減することができる。
【００５９】
以上に説明したように構成された本発明のＩＣソケットにおいては、ソケット本体に対して枢動される、押圧板を有したカバー部材に、レバー形状の押えレバーを両側に嵌まるような構造に設けることで、押圧板を有するカバー部材の強度を何等低下すること無く、ＩＣソケットの高さを下げることができる。しかも、ロック機構のロック部材としての可動ストッパーをソケット本体に対して横方向に突出するように滑動可能に、あるいはまたストッパー部材を内側から外方に向かって回動可能に設けることによって、ＩＣソケット全体の外形の縮小化を達成することができて小形化することができ、さらに、押えレバーのロック部としての係止部がロックピンと係合することに加えて、ロック機構によるロック係合とのダブルロックが得られ、カバー部材、押圧板、ＩＣパッケージの確固たるしっかりした固定、保持が達成され、しかも操作力を低減することができる。
【産業上の利用可能性】
【００６０】
本発明のＩＣソケットは、ボール・グリッド・アレイ・タイプのＩＣパッケージのような電気部品のバーンインテスト等の各種テストに用いることができる。
【図面の簡単な説明】
【００６１】
【図１】本発明のＩＣソケットの実施例１を示す側面図である。
【図２】図２のＩＣソケットの端面図である。
【図３】図２のＩＣソケットの展開した平面図である。
【図４】図２のＩＣソケットのロック機構におけるロック部材としての可動ストッパーの作動状態を示す図３のＡ−Ａ線に沿った拡大断面部分図である。
【図５】図４の可動ストッパーの作動状態を示す同様な断面拡大部分図である。
【図６】図４の可動ストッパーの作動ロック状態を示す同様な断面拡大部分図である。
【図７】本発明のＩＣソケットの実施例２を示す側面図である。
【図８】図７のＩＣソケットの作動状態を示す同様な側面図である。
【図９】図７のＩＣソケットのカバー部材を開いた状態で示す平面図である。
【図１０】図７乃至図９の本発明のＩＣソケットのコンタクトの一部を示す拡大部分図である。
【図１１】従来のＩＣソケットの１つの例におけるカバー部材を閉じた時の状態を、一部断面した側面図である。
【図１２】示されており、  図１１の従来のＩＣソケットの展開した平面図である。
【図１３】図１１の従来のＩＣソケットの第１、第２の押え板の作動状態を示す一部断面した側面図である。
【図１４】従来のＩＣソケットの別の例におけるカバー部材を閉じた時の状態を示す一部断面した側面図である。
【符号の説明】
【００６２】
１、３０    ＩＣソケット
２、３２    ソケット本体
３、３３    カバー部材
４、３４    コンタクト
５、３５    押えレバー
６、３６    ロック機構
７、３７    装着部
８、３８    枢支部
９、３９    ピン
１２、４２    押圧板
１３、４３    ピン
１４、４４    ピン
１５、４５    開口部
１６、４６    レバー部材
１７、４７    接触部材
１８、４８    係止部
２０、５０    ロックピン
２２    可動ストッパー
２３    ばね部材
２４    テーパー面
２５    長孔
２６    シャフト
５２    ロック部材
５３    爪部
５５    上コンタクト部材
５６    下コンタクト部材
５７    ばね部材
【図１】
2005116194.tif 000003
【図２】
2005116194.tif 000004
【図３】
2005116194.tif 000005
【図４】
2005116194.tif 000006
【図５】
2005116194.tif 000007
【図６】
2005116194.tif 000008
【図７】
2005116194.tif 000009
【図８】
2005116194.tif 000010
【図９】
2005116194.tif 000011
【図１０】
2005116194.tif 000012
【図１１】
2005116194.tif 000013
【図１２】
2005116194.tif 000014
【図１３】
2005116194.tif 000015
【図１４】
2005116194.tif 000016